(57)【特許請求の範囲】
【請求項１】
壁紙の長さを算出するための検尺部を有する壁紙糊付機本体と、
前記壁紙糊付機本体の装備品と、
演算部と記憶手段を有し前記壁紙糊付機本体を制御するための制御装置とからなる自動壁紙糊付機であって、
前記制御装置にＩＤタグ検出手段を設け、
前記装備品を識別するための識別情報が記録され非接触で情報の読み書きが可能なＩＤタグが取り付けられた前記装備品と前記壁紙糊付機本体を、
予め、前記ＩＤタグ検出手段により検索し、検出された前記ＩＤタグの前記識別情報をキーとして、ＩＤタグ情報レコードを前記記憶手段に登録しておき、
任意時間に再び前記ＩＤタグを検索し、前記記憶手段に登録している前記ＩＤタグ情報レコードの前記識別情報で示される前記ＩＤタグを検出できない場合に、
前記ＩＤタグ情報レコードの前記識別情報で示される前記装備品が存在していないという警告をだすことを特徴とする自動壁紙糊付機。
【請求項２】
前記ＩＤタグの前記識別情報は、少なくとも前記装備品の型式と製造番号が含まれることを特徴とする前記請求項１の自動壁紙糊付機。
【請求項３】
前記ＩＤタグに、前記演算部が前記検尺部の信号により算出した壁紙の長さを書き込むことを特徴とする前記請求項１又は前記請求項２の自動壁紙糊付機。
【発明の詳細な説明】
【技術分野】
【０００１】
本発明は、壁紙を天井や壁面などに貼るために、裏面に糊を塗布した所定の長さの壁紙を得るための自動壁紙糊付機に関するものである。
【背景技術】
【０００２】
従来、部屋の内装施工の際に、壁紙Ａの原反ロールから引き出した壁紙Ａに糊箱（２３１）内の糊をローラーによって自動的に塗布することのできる自動壁紙糊付機（２００）は公知である。
図１０と図１１に従来技術の自動壁紙糊付機（２００）を示す。
自動壁紙糊付機（２００）は、車に積んで運搬する際に小さい荷室でも乗せられる様にする為や、糊付け作業が終わって、糊が付着したローラーなどの水洗いをし易くする為に、
ユニットに分割でき、また、装備品がユニットから脱着できる構造になっている。
自動壁紙糊付機（２００）は、壁紙糊付機本体（２１１）、脚（２１２）、スリッター（２１３） と制御装置（２１４）のユニットで成り立っている。
壁紙糊付機本体（２１１）には、壁紙Ａを搬送する為の送り出しローラー（２１５）、
壁紙Ａの長さを算出するための検尺ローラー（２１６）、糊を付ける為の糊付けローラー（２１８）、ドクターローラー（２１７）、押さえローラー（２１９）、ナラシローラー（２２０）等が左右一対の本体フレーム（２２１）により軸支されている。
また、本体フレーム（２２１）には、壁紙糊付機本体（２１１）を脚（２１２）に載せて固定する為のパチン錠（２２２）が設けられている。
【０００３】
脚（２１２）には、壁紙Ａの原反をセットする為の左右一対の原反受け（２２４）と、自動壁紙糊付機（２００）を移動する為の車輪（２２３）が設けられている。
【０００４】
スリッター（２１３）には、壁紙Ａの左右幅方向を裁断する為の、第１上刃（２２５）、第２上刃（２２６）、第１下刃（２２７）、第２下刃（２２８）が設けられている。
スリッター（２１３）は、左右一対のスリッターフック（２２９）により壁紙糊付機本体（２１１）に係止される。
【０００５】
制御装置（２１４）には自動壁紙糊付機（２００）を制御する為の制御基板（図示せず）や表示操作部（２４１）やモーター（図示せず）が設けられており、係止具（図示せず）により、壁紙糊付機本体（２１１）に係止される。
制御装置（２１４）が壁紙糊付機本体（２１１）に係止された時には、モーター（図示せず）に設けられたモーター歯車（図示せず）が壁紙糊付機本体（２１１）内部の歯車（図示せず）と噛み合い、壁紙糊付機本体（２１１）の複数のローラーは回転され、壁紙Ａの移動により発生する検尺パルスを計数して糊を塗布されて排出した壁紙Ａの長さを算出する。
【０００６】
また、壁紙糊付機本体（２１１）の内部には、壁紙Ａに塗布する糊を貯留しておく糊箱（２３１）が装着されており、糊は糊箱（２３１）の中に設けられた糊上げローラー（２３２）により、糊付けローラー（２１８）に伝達されて、ドクターローラー（２１７）により定められた厚みで壁紙Ａに塗布される。
【０００７】
また、 壁紙Ａの原反は、原反芯棒（２３３）に通され、左右端を第１サイド板（２３４）と第２サイド板（２３５）により保持され、脚（２１２）に設けられた左右一対の原反受け（２２４）にセットされる。
【０００８】
また、搬送される壁紙Ａにテンションをかけるための第１テンションバー（２３６）と第２テンションバー（２３７）が、スリッター（２１３）と脚（２１２）にセットされる。
【０００９】
また、自動壁紙糊付機（２００）には上蓋（２３８）が備えられている。
【先行技術文献】
【特許文献】
【００１０】
【特許文献１】特開２０１３−２４９５８７号公報
【発明の開示】
【発明が解決しようとする課題】
【００１１】
このように、自動壁紙糊付機（２００）には装備品が多いので、内装施工現場を替わる際や装備品を掃除する際に装備品を置き忘れる場合がある。また、大規模な内装施工現場では複数の内装工事店の複数の自動壁紙糊付機（２００）が持ち込まれている場合があるので、他の内装工事店が所有する同型の自動壁紙糊付機（２００）の装備品と取り間違える場合があるという課題を有している。
【００１２】
また、自動壁紙糊付機（２００）を複数台所有している内装施工業者では、スリッター（２１３）は他の自動壁紙糊付機（２００）に装着して使用する場合もあるので、壁紙糊付機本体（２１１）とスリッター（２１３）の稼働実績は異なり、また、部品交換時期も装備品毎に異なるので、装備品毎に稼働実績を把握する必要があり、装備品の管理に手間を要するという課題を有している。
【課題を解決するための手段】
【００１３】
壁紙の長さを算出するための検尺部を有する壁紙糊付機本体と、
壁紙糊付機本体の装備品と、
演算部と記憶手段を有し壁紙糊付機本体を制御するための制御装置からなる自動壁紙糊付機であって、
制御装置にＩＤタグ検出手段を設け、
装備品を識別するための識別情報が記録され非接触で情報の読み書きが可能なＩＤタグが取り付けられた装備品と壁紙糊付機本体を、
予め、ＩＤタグ検出手段により検索し、検出されたＩＤタグの識別情報をキーとしてＩＤタグ情報レコードを記憶手段に登録しておき、
任意時間に再びＩＤタグを検索し、記憶手段に登録しているＩＤタグ情報レコードの識別情報で示されるＩＤタグが検出できない場合に、ＩＤタグ情報レコードの識別情報で示される装備品が存在していないという警告をだすことを特徴とする。
【００１４】
ＩＤタグの識別情報は、少なくとも装備品の型式と製造番号が含まれることを特徴とする。
【００１５】
ＩＤタグに、演算部が検尺部の信号により算出した壁紙の長さを書き込むことを特徴とする。
【発明の効果】
【００１６】
本発明の自動壁紙糊付機では、制御装置にＩＤタグ検出手段を設け、装備品の識別情報が記録されたＩＤタグを装備品に取り付け、
予め、ＩＤタグ検出手段により、壁紙糊付機本体と装備品のＩＤタグを検索し、検出されたＩＤタグのＩＤタグ情報レコードを記憶手段に登録しておき、
任意時間に再びＩＤタグを検索し、記憶手段に登録しているＩＤタグ情報レコードの識別情報で示されるＩＤタグが検出できない場合に、ＩＤタグ情報レコードの識別情報で示される装備品が存在していないという警告をだすので、
作業者はＩＤタグ情報レコードの識別情報で示される装備品を紛失していることに気づき、内装施工現場の心当たりの場所を探すので、装備品を内装施工現場に置き忘れることはない。
【００１７】
また、ＩＤタグの識別情報には装備品の型式と製造番号を含んでいるので、同型の装備品であっても製造番号で識別できるので、他の内装工事店が所有する同型の自動壁紙糊付機の装備品と取り違えて装着している場合でも、取り違えを発見できる。
【００１８】
また、装備品のＩＤタグに、制御装置の演算部が検尺部の信号により算出した壁紙の長さを書き込むので、装備品の稼働実績を装備品毎に容易に管理できる。
【図面の簡単な説明】
【００１９】
【図１】図１は、本発明の自動壁紙糊付機（１０）のユニット構成を説明するための斜視図であり、（a）は、自動壁紙糊付機（１０）の上蓋（３８）である。（b）は、壁紙Ａに張力をかけるための第１テンションバー（３６）と第２テンションバー（３７）であり、（c）は、壁紙Ａの原反をセットするための原反芯棒（３３）と第１サイド板（３４）と第２サイド板（３５）である。（d）は、装備品を装着した状態の自動壁紙糊付機（１０）である。
【図２】図２は、図１の斜視図では説明できない部分を説明するための図であり、（a）は、スリッター（１３）の斜視図であり、（b）は、自動壁紙糊付機（１０）の側面断面図である。
【図３】図３は、自動壁紙糊付機（１０）の制御の機能を説明するためのブロック図である。
【図４】図４は、個々の装備品に取り付けるＩＤタグのＩＤタグ情報を説明するための図であり、（a）は、検尺ローラー（１６）に取り付けたＩＤタグ（１０９）のＩＤタグ情報である。（b）は、スリッター（１３）の第１上刃（２５）に取り付けたＩＤタグ（１０４）のＩＤタグ情報である。（c）は、スリッター（１３）の第２上刃（２６）に取り付けたＩＤタグ（１０５）のＩＤタグ情報である。（d）は、スリッター（１３）の第１下刃（２７）に取り付けたＩＤタグ（１０６）のＩＤタグ情報である。（e）は、スリッター（１３）の第２下刃（２８）に取り付けたＩＤタグ（１０７）のＩＤタグ情報である。（f）は、上蓋（３８）に取り付けたＩＤタグ（１１６）のＩＤタグ情報である。
【図５】図５は、制御装置（１４）の記憶手段（４３）に登録するＩＤタグ情報レコードを説明するための図である。
【図６】図６は、ＩＤタグ情報レコードを登録する、装備品登録処理のフローチャートである。
【図７】図７は、個々の装備品の照合を行う装備品照合処理のフローチャートである。
【図８】図８は、消耗品である装備品に稼働実績を累積書き込みを行う、稼働実績書込み処理のフローチャートである。
【図９】図９は、パスワード機能の設定がなされている場合の起動フローチャートである。
【図１０】図１０は、従来技術の自動壁紙糊付機（２００）のユニット構成を説明するための斜視図であり、（a）は、自動壁紙糊付機（２００）の上蓋（２３８）である。（b）は、壁紙Ａに張力をかけるための第１テンションバー（２３６）と第２テンションバー（２３７）であり、（c）は、壁紙Ａの原反をセットするための原反芯棒（２３３）と第１サイド板（２３４）と第２サイド板（２３５）である。（d）は、装備品を装着した状態の自動壁紙糊付機（２００）である。
【図１１】図１１は、図１０の斜視図では説明できない部分を説明するための図であり、（a）は、スリッター（２１３）の斜視図であり、（b）は、自動壁紙糊付機（２００）の側面断面図である。
【発明を実施するための最良の形態】
【００２０】
本発明の自動壁紙糊付機（１０）の構成を図１と図２を用いて説明する。自動壁紙糊付機（１０）は大別して、壁紙糊付機本体（１１）、脚（１２）、スリッター（１３） と制御装置（１４）のユニットで構成されており、壁紙糊付機本体（１１）には、壁紙Ａを搬送する為の送り出しローラー（１５）、壁紙Ａの長さを算出するための検尺ローラー（１６）、糊を付ける為の糊付けローラー（１８）、ドクターローラー（１７）、押さえローラー（１９）、ナラシローラー（２０）が等が左右一対の本体フレーム（２１）により軸支されている。
また、本体フレーム（２１）には、壁紙糊付機本体（１１）を脚（１２）に載せて固定する為のパチン錠（２２）が設けられている。
また、本体フレーム（２１）の内側には、壁紙糊付機本体用ＩＤタグ（１０１）が取り付けられ、検尺ローラー（１６）の軸には検尺ローラー用ＩＤタグ（１０９）が取り付けられている。    
【００２１】
脚（１２）には、壁紙Ａの原反をセットする為の左右一対の原反受け（２４）と、自動壁紙糊付機（１０）を移動する為の車輪（２３）が設けられている。
また、脚（１２）には、脚用ＩＤタグ（１０２）が取り付けられている。
【００２２】
スリッター（１３）には、壁紙Ａの左右幅方向を裁断する為の、第１上刃（２５）、第２上刃（２６）、第１下刃（２７）、第２下刃（２８）が設けられている。
スリッター（１３）は、左右一対のスリッターフック（２９）により壁紙糊付機本体（１１）に係止される。
また、スリッターフレーム（３０）には、スリッター用ＩＤタグ（１０３）が取り付けられており、第１上刃（２５）には第１上刃用ＩＤタグ（１０４）が取り付けられており、第２上刃（２６）には第２上刃用ＩＤタグ（１０５）が取り付けられており、第１下刃（２７）には第１下刃用ＩＤタグ（１０６）が取り付けられており、第２下刃（２８）には第２下刃用ＩＤタグ（１０７）が取り付けられている。
【００２３】
制御装置（１４）には、自動壁紙糊付機（１０）を制御する為の制御基板（図示せず）や表示操作部（４１）やモーター（図示せず）が設けられており、係止具（図示せず）により、壁紙糊付機本体（１１）に係止される。
制御装置（１４）が壁紙糊付機本体（１１）に係止された時には、モーター（図示せず）に設けられたモーター歯車（図示せず）が壁紙糊付機本体（１１）内部の歯車（図示せず）と噛み合い、壁紙糊付機本体（１１）の複数のローラーは回転される。
また、制御装置（１４）の演算部（４０）は、検尺手段（４４）により、搬送される壁紙Ａの移動に比例して発生する検尺パルス信号を計数して糊を塗布されて排出した壁紙Ａの長さを算出する。
また、制御装置（１４）には、制御装置用ＩＤタグ（１０８）が取り付けられている。
【００２４】
また、壁紙糊付機本体（１１）の内部には、壁紙Ａに塗布する糊を貯留しておく糊箱（３１）が装着されており、糊は、糊箱（３１）の中に設けられた糊上げローラー（３２）により、糊付けローラー（１８）に伝達されて、ドクターローラー（１７）により定められた厚みで壁紙Ａに塗布される。
糊箱（３１）には糊箱用ＩＤタグ（１１０）が取り付けられている。
【００２５】
また、 壁紙Ａの原反は、原反芯棒（３３）に通され、左右端を第１サイド板（３４）と第２サイド板（３５）により保持され、脚（１２）に設けられた左右一対の原反受け（２４）にセットされる。
原反芯棒（３３）には原反芯棒用ＩＤタグ（１１１）が取り付けられており、第１サイド板（３４）には第１サイド板用ＩＤタグ（１１２）が取り付けられており、第２サイド板（３５）には第２サイド板用ＩＤタグ（１１３）が取り付けられている。
【００２６】
また、搬送される壁紙Ａにテンションをかけるための第１テンションバー（３６）と第２テンションバー（３７）が、スリッター（１３）と脚（１２）にセットされる。
第１テンションバー（３６）には第１テンションバー用ＩＤタグ（１１４）が取り付けられ、第２テンションバー（３７）には第２テンションバー用ＩＤタグ（１１５）が取り付けられている。
【００２７】
また、自動壁紙糊付機（１０）には上蓋（３８）が備えられている。
上蓋（３８）には上蓋用テンションバー用ＩＤタグ（１１６）が取り付けられている。
【００２８】
続いて、本発明の自動壁紙糊付機（１０）の制御機能の構成を図３を用いて説明する。
検尺手段（４４）は、壁紙Ａに従動回転する検尺ローラー（１６）にスリット板（図示せず）とフォトマイクロセンサ（図示せず）を設け、壁紙Ａの移動に比例した検尺パルス信号を生成するものである。
【００２９】
個々の装備品に取り付けているＩＤタグは、ＵＨＦ帯の電波によってデータを送受信する方式のＲＦＩＤタグであり、本発明の自動壁紙糊付機（１０）では、壁紙糊付機本体用ＩＤタグ（１０１）、 脚用ＩＤタグ（１０２）、スリッター用ＩＤタグ（１０３）、第１上刃用ＩＤタグ（１０４）、第２上刃用ＩＤタグ（１０５）、第１下刃用ＩＤタグ（１０６）、第２下刃用ＩＤタグ（１０７）、制御装置用ＩＤタグ（１０８）、検尺ローラー用ＩＤタグ（１０９）、  糊箱用ＩＤタグ（１１０）、原反芯棒用ＩＤタグ（１１１）、  第１サイド板用ＩＤタグ（１１２）、第２サイド板用ＩＤタグ（１１３）、  第１テンションバー用ＩＤタグ（１１４）、第２テンションバー用ＩＤタグ（１１５）、  上蓋用ＩＤタグ（１１６）を取り付けている。
【００３０】
ＩＤタグ検出手段（４５）は、ＲＦＩＤタグに対して、ＵＨＦ帯の電波で、データを読み出したり、書き込んだりできるＲＦＩＤタグリーダライタ基板であり、制御装置（１４）の内部の制御基板（図示せず）に実装し、演算部（４０）からの指示により、ポーリング動作等でＲＦＩＤタグとデータの送受信ができるものである。
【００３１】
制御装置（１４）は自動壁紙糊付機（１０）の全体を制御するものであり、
制御装置（１４）の正面には、自動壁紙糊付機（１０）に設定値や動作を指示して操作する為の表示操作部（４１）が設けられている。
【００３２】
計時部（４２）はカレンダー時計ＩＣである。
【００３３】
演算部（４０）は、主にワンチップマイコンからなり、ＩＤタグ検出手段（４５）、表示操作部（４１）、計時部（４２）、モーター駆動部（図示せず）の制御や、検尺部（４４）からの検尺パルス信号により壁紙Ａの移動長を算出する等を実行する。
【００３４】
記憶手段（４３）は、演算部（４０）が取り扱うデータを記憶するＲＡＭやＲＯＭ等であり、また、複数のＲＦＩＤタグと送受信するデータ等を記憶するものである。
【００３５】
続いて、図４を用いて、個々の装備品に取り付けるＩＤタグのＩＤタグ情報の書式を説明する。ＩＤタグ情報は、装備品を識別するための「識別情報」と、装備品の消耗度合いを把握するための「稼働情報」と、装備品の特徴を示す「付加情報」からなる。
【００３６】
「識別情報」は装備品の「型式」と「製造番号」の項目からなり、「稼働情報」は「糊付長さ」と「寿命値」と「更新日時」の項目からなり、「付加情報」は装備品の名称を示す「装備品名」の項目と、装備品のと特徴を示す「寿命フラグ」の項目があり、項目「寿命フラグ」＝「有」のものは消耗品であり、寿命値を設定している装備品であることを示す。
【００３７】
項目「型式」は、装備品の型式であり、項目「製造番号」は装備品の製造番号であり、製造番号は１００１から始まる連番としている。
【００３８】
また、項目「糊付長さ」は、装備品が稼働した実績を壁紙の長さＬで表したものであり、
項目「寿命値」は、装備品が寿命に達したと判定する稼働実績を壁紙の長さで表したものであり、項目「寿命値」は装備品の特徴により異なるので、検尺ローラー用ＩＤタグ（１０９）のＩＤタグ情報の項目「寿命値」はＳとし、第１上刃用ＩＤタグ（１０４）と第２上刃用ＩＤタグ（１０５）のＩＤタグ情報の項目「寿命値」はＫとし、第１下刃用ＩＤタグ（１０６）と第２下刃用ＩＤタグ（１０７）のＩＤタグ情報の項目「寿命値」はＭとしいる。項目「更新日時」は、ＩＤタグ情報を書き込んだ、あるいは書き換えた日時である。
【００３９】
全ての装備品に取り付けるＩＤタグのＩＤタグ情報は、工場で自動壁紙糊付機（１０）の部品と装備品を組み立てる際に、自動壁紙糊付機（１０）の制御装置（１４）のＩＤタグ検出手段（４５）とは別体のＲＦＩＤタグリーダライタ装置（図示せず）を用い、「識別情報」の項目「型式」と項目「製造番号」は、制御装置（１４）のＩＤタグ検出手段（４５）では書き換えができない領域に記録している。
また、「稼働情報」の項目「糊付長さ」の長さＬは初期値０で、ＩＤタグ検出手段（４５）により書き換えが可能な領域に書き込みしている。
【００４０】
図４（a）は、検尺ローラー用ＩＤタグ（１０９）のＩＤタグ情報である。
図４（b）は、第１上刃用ＩＤタグ（１０４）のＩＤタグ情報である。
図４（c）は、第２上刃用ＩＤタグ（１０５）のＩＤタグ情報である。
図４（d）は、第１下刃用ＩＤタグ（１０６）のＩＤタグ情報である。
図４（e）は、第２下刃用ＩＤタグ（１０７）のＩＤタグ情報である。
図４（f）は、上蓋用ＩＤタグ（１１６）のＩＤタグ情報である。
また、図４には図示していないが、壁紙糊付機本体用ＩＤタグ（１０１）、 脚用ＩＤタグ（１０２）、スリッター用ＩＤタグ（１０３）、制御装置用ＩＤタグ（１０８）、糊箱用ＩＤタグ（１１０）、原反芯棒用ＩＤタグ（１１１）、第１サイド板用ＩＤタグ（１１２）、第２サイド板用ＩＤタグ（１１３）、第１テンションバー用ＩＤタグ（１１４）、第２テンションバー用ＩＤタグ（１１５）のＩＤタグ情報も同様の書式としている。
【００４１】
続いて、本発明の自動壁紙糊付機（１０）を用いて装備品の部品管理を行う方法を説明する。自動壁紙糊付機（１０）が購入された場合、まず最初に、作業者により、図３に示す全ての装備品を壁紙糊付機本体（１１）に装着した状態で、補助機能設定メニュー（フローチャート図示せず）の中の装備品登録処理が実行される。
図６に装備品登録処理のフローチャートを示す。
【００４２】
処理ＳＴＰ１では、演算部（４０）の指示により、ＩＤタグ検出手段（４５）は、リーダートークファースト方式でポーリングを開始し、壁紙糊付機本体（１１）に装着されている個々の装備品のＩＤタグに送信指示コマンドを送信し、制御装置（１４）の周辺のＩＤタグを検索し、応答するＩＤタグを検出する。この時、ＩＤタグ検出手段（４５）は、ＩＤタグ情報の項目「型式」のアルファベットの昇順にポーリングする。
【００４３】
処理ＳＴＰ２では、応答するＩＤタグを１つ検出すれば処理ＳＴＰ３へ進む。本発明の実施例では項目「型式」が「ＡＡ０１」である壁紙糊付機本体用ＩＤタグ（１０１）が１番に検出される。応答するＩＤタグがなくなれば、処理ＳＴＰ５へ進む。
【００４４】
処理ＳＴＰ３では、演算部（４０）は、検出したＩＤタグのＩＤタグ情報の、（項目「型式」＋項目「製造番号」）を制御装置（１４）の表示操作部（４１）に表示すると同時に、
制御装置（１４）は、（項目「型式」＋項目「製造番号」）をキーとして、ＩＤタグ情報レコードを作成して制御装置（１４）の記憶手段（４３）に登録する。図５に示す１行目の、項目「製造番号」が「ＡＡ０１」である壁紙糊付機本体用ＩＤタグ（１０１）のＩＤタグ情報レコードが１番に登録される。
【００４５】
処理ＳＴＰ４では、ポーリングするＩＤタグの項目「型式」を「ＡＡ０１」から「ＡＡ０２」へ累進して処理ＳＴＰ１へ進んで、再びＩＤタグを検索する。このように項目「型式」のアルファベットを累進して、項目「型式」が「ＺＺ１０」になるまで、処理ＳＴＰ２と処理ＳＴＰ３を繰り返して実行した後に、応答するＩＤタグが存在しなければ、処理ＳＴＰ５へ進む。
【００４６】
処理ＳＴＰ５では、この処理が呼び出されたメインルーチン（図示せず）に戻る。
【００４７】
装備品登録処理が実行されることにより、図３に示す全てのＩＤタグが検出され、制御装置（１４）の記憶手段（４３）には、図５に示すＩＤタグ情報レコードが登録され、
登録されているＩＤタグ情報レコードの、項目「型式」にはＩＤタグのＩＤタグ情報の項目「型式」が書き込まれ、項目「製造番号」にはＩＤタグのＩＤタグ情報の項目「製造番号」が書き込まれ、項目「糊付け長さ」にはＬは初期値０で書き込まれ、項目「寿命値」にはＩＤタグのＩＤタグ情報の項目「寿命値」が書き込まれ、項目「更新日時」には装備品登録処理の実行を開始した時点で計時部（４２）から得た日時が書き込まれ、項目「装備品名」にはＩＤタグのＩＤタグ情報の項目「装備品名」が書き込まれ、項目「寿命フラグ」にはＩＤタグのＩＤタグ情報の項目「寿命フラグ」の内容（「有」または、「無」）が書き込まれている。
【００４８】
続いて、本発明の自動壁紙糊付機（１０）が、装備品の稼働実績を装備品のＩＤタグに書き込む方法を、図８の稼働実績書込みフローチャートを用いて説明する。本発明の自動壁紙糊付機（１０）では、１枚の壁紙Ａの糊付けを実行する毎に稼働実績書込み処理を実行する。
【００４９】
処理ＣＴＰ１では、制御装置（１４）の演算部（４０）が、作業者により設定された長さの壁紙Ａの糊付けを実行し、検尺手段（４４）からの検尺パルス信号を計数して算出した壁紙Ａの長さＬ１を算出する。
【００５０】
処理ＣＴＰ２では、制御装置（１４）の記憶手段（４３）に登録しているＩＤタグ情報レコードのうち、項目「寿命フラグ」が「有」となっているＩＤタグ情報レコードの「識別情報」が示す装備品に取り付けられているＩＤタグ情報の項目「糊付長さ」の糊付長さＬを累積する。図３に示す、第１上刃用ＩＤタグ（１０４）と第２上刃用ＩＤタグ（１０５）と第１下刃用ＩＤタグ（１０６）と第２下刃用ＩＤタグ（１０７）と検尺ローラー用ＩＤタグ（１０９） の、ＩＤタグ情報の項目「糊付長さ」＝Ｌを、Ｌ←Ｌ＋Ｌ１として累積書き込みする。
【００５１】
処理ＣＴＰ３では、この処理が呼び出された糊付け実行のメインルーチン（図示せず）に戻る。
【００５２】
続いて、本発明の自動壁紙糊付機（１０）が、装備品の照合を行う方法を、図７に示す、
装備品照合処理のフローチャートを用いて説明する。
【００５３】
処理ＷＴＰ１では、演算部（４０）の指示により、ＩＤタグ検出手段（４５）はリーダートークファースト方式でポーリングを開始し、個々の装備品のＩＤタグに送信指示コマンドを送信し、制御装置（１４）の周辺のＩＤタグを検索し、項目「型式」のアルファベットの昇順にポーリングする。
【００５４】
処理ＷＴＰ２では、応答するＩＤタグを検出すれば、処理ＷＴＰ３へ進む。
応答するＩＤタグがなくなれば、処理ＷＴＰ５へ進む。
【００５５】
処理ＷＴＰ３では、検出したＩＤタグの（項目「型式」＋項目「製造番号」）をキーとして、制御装置（１４）の記憶手段（４３）に登録されているＩＤタグ情報レコードを抽出し、ＩＤタグ情報レコードの項目「更新日時」を、装備品照合処理が開始された時点で計時部（４２）から得た日時に更新する。
【００５６】
処理ＷＴＰ４では、ＩＤタグ情報の項目「寿命フラグ」が「有」と書き込まれている装備品について、累積書き込みしている糊付長さＬが、ＩＤタグ情報の「寿命値」以上になっていれば、寿命に達したと判定する。
検尺ローラー用ＩＤタグ（１０９）の場合はＬがＳ以上であれば、第１上刃用ＩＤタグ（１０４）の場合はＬがＫ以上であれば、第２上刃用ＩＤタグ（１０５）の場合はＬがＫ以上であれば、第１下刃用ＩＤタグ（１０６）の場合はＬがＭ以上であれば、第２下刃用ＩＤタグ（１０７）の場合はＬがＭ以上であれば、寿命に達したと判定する。
【００５７】
処理ＷＴＰ５は全てのＩＤタグの検索が終わったら実行する処理であり、
記憶手段（４３）に登録されているＩＤタグ情報レコードの項目「更新日時」をチェックし、今回の装備品照合処理で更新した日時よりも過去の日時のままとなっているＩＤタグ情報レコードの、項目（「型式」＋項目「製造番号」）で示されるＩＤタグは今回の装備品照合処理では検出されなかったＩＤタグであるので、
ＩＤタグ情報レコードの、（項目「型式」と項目「製造番号」）で示される装備品が自動壁紙糊付機（１０）の近くには存在していないことを、項目「型式」と項目「製造番号」と項目「装備品名」を表示操作部（４１）に表示することにより作業者に警告する。
【００５８】
処理ＷＴＰ６では、この処理が呼び出されたメインルーチン（図示せず）に戻る。
【００５９】
本発明の自動壁紙糊付機（１０）では、図８のフローチャートで示す稼働実績書き込み処理を、１枚の壁紙Ａの糊付けを実行する毎に実行するようにしているが、「糊付長さ」の累積値Ｌを、制御装置（１４）の記憶手段（４３）に記憶しておき、「糊付長さ」の累積値ＬのＩＤタグへの書き込みは、例えば、糊付けを１０数枚実行する毎に行うようにしてもよい。
【００６０】
また、「糊付長さ」の累積値ＬのＩＤタグへの書き込みは、計時部（４２）から得られる時間により、一定時間毎に実行するようにしてもよい。
【００６１】
また、「糊付長さ」の累積値ＬのＩＤタグへの書き込みは、電源スイッチ（図示せず）がＯＦＦされ、演算部（４０）がシャットダウン処理（図示せず）を実行する時に実行するようにしてもよい。
【００６２】
また、本発明の自動壁紙糊付機（１０）では、図７のフローチャートで示す装備品照合処理を、１枚の壁紙Ａの糊付けを実行する毎に実行するようにしているが、例えば、糊付けを１０数枚実行する毎に行うよにしてもよい。
【００６３】
また、図７のフローチャートで示す装備品照合処理を、計時部（４２）から得られる時間により、一定時間毎に実行するようにしてもよい。
【００６４】
また、図７のフローチャートで示す装備品照合処理を、電源スイッチ（図示せず）がＯＦＦされ、演算部（４０）がシャットダウン処理（図示せず）を実行する時に実行するようにしてもよい。
【００６５】
このように、図７のフローチャートで示す装備品照合処理は、図６のフローチャートで示す装備品登録処理を実行した後であれば、任意時間に実行する処理とすればよい。
【００６６】
また、本発明の自動壁紙糊付機（１０）では、図６のフローチャートで示す装備品登録処理は、本発明の自動壁紙糊付機（１０）を購入したらすぐに実行する様に作業者に取り扱い説明している。
【００６７】
また、ＩＤタグのＩＤタグ情報の「付加情報」に、作業者が設定した個人ＩＤを書き込むための項目として、項目「所有者ＩＤ」を設け、補助機能設定メニュー（フローチャート図示せず）から装備品登録処理を実行する際に、項目「所有者ＩＤ」をＩＤタグに書き込む様にして、処理ＷＰＴ５で警告する際に、項目「所有者ＩＤ」の内容も表示操作部（４１）に表示すれば、誰の装備品と取り違えているかがわかるようにできる。
【００６８】
また、本発明の自動壁紙糊付機（１０）では、装備品を交換した場合や、装備品を買い足した場合には、図６のフローチャートで示す装備品登録処理を実行する様に作業者に取り扱い説明している。
【００６９】
また、従来から自動壁紙糊付機（２００）はパスワード機能を有しており、本発明の自動壁紙糊付機（１０）においても、作業者によりパスワード機能の設定がなされていた場合には、装備品登録処理を実行する際に、演算部（４０）は作業者に対しパスワードの入力を要求し、表示操作部（４１）から入力されたパスワードが記憶手段（４３）に登録されているパスワードと一致する場合にのみ装備品登録処理を実行する様にしているので、装備品の登録が行える人物を特定でき、装備品の盗難の抑制ができる。
【００７０】
続いて、パスワード機能が設定されている場合の電源スイッチ（図示せず）がＯＮされて起動を開始する時の、起動フローチャートを図９を用いて説明する。
処理ＸＴＰ１では、図７で示した装備品照合処理を実行した後に処理ＸＴＰ２へ進む。
【００７１】
処理ＸＴＰ２では、今回の装備品照合処理でＷＴＰ５を実行した時に、項目「更新日時」が過去の日時のままとなっているＩＤタグ情報レコードが存在すれば、処理ＸＴＰ５へ進み、なければ、処理ＸＴＰ３へ進む。
【００７２】
処理ＸＴＰ３では、今回の装備品照合処理で検出された全てのＩＤタグのＩＤタグ情報の項目「所有者ＩＤ」の内容を比較し、全てのＩＤタグ情報の項目「所有者ＩＤ」の内容が同一であれば処理ＸＴＰ４を実行し、異なる所有者ＩＤが書き込まれているＩＤタグが１つでも検出された場合には処理ＸＴＰ５を実行する。
【００７３】
処理ＸＴＰ５は、制限モード条件での起動である。制限モード条件とは、予め作業者により設定されている動作条件であり、低レベルの設定がなされている場合には基本操作モードのみで糊付けを実行し、中レベルの設定がなされている場合には基本操作モードで低速度で糊付けを実行し、高レベルの設定がなされている場合には糊付けを実行しないようにする処理（フローチャート図示せず）である。
【００７４】
処理ＸＴＰ４は、制限のない通常モード条件での起動である。
【００７５】
このように、項目「所有者ＩＤ」をＩＤタグに書き込み、電源スイッチ（図示せず）がＯＮされて起動を開始する時の処理で装備品照合処理を実行し、異なる所有者ＩＤが書き込まれているＩＤタグが１つでも検出された場合に、制限モード条件での起動をするようにすれば、装備品の盗難の抑制ができる。
【００７６】
また、本発明の自動壁紙糊付機（１０）では、図４に示すＩＤタグ情報が書き込まれたＩＤタグを、内装施工作業で使う道具類、例えば、カッターナイフや内装万能ヘラや定規、あるいは、自動壁紙糊付機（１０）とは別体で、自動壁紙糊付機（１０）と連動する装置、例えば、糊を糊箱（３１）に補充するための糊供給装置（図示せず）等にも取り付け、
図６に示す装備品登録処理を実行すれば、記憶手段（４３）にＩＤタグ情報レコードを登録して装備品とする。
作業者が使う道具類も含んだ装備品管理ができ、内装施工現場に道具類を置き忘れることを防止できる。
【００７７】
本発明の自動壁紙糊付機（１０）では、道具類に取り付けるＩＤタグは通信可能距離が比較的長いもの（例えば４ｍ）、を取り付けているので、道具類は壁紙糊付機本体（１１）に装着されずに、近くの床の上などに置かれている場合でも検出できる。また、ワンボックスカー等の車に自動壁紙糊付機（１０）や道具類を積み込んで、車で糊付けを行っている場合においても検出できる。
【００７８】
また、本発明の自動壁紙糊付機（１０）では、スリッター（１３）に取り付けるスリッター用ＩＤタグ（１０３）には通信可能距離が短いもの（例えば０．３ｍ）を使用し、スリッター（１３）が壁紙糊付機本体（１１）に装着された時に、制御装置（１４）の側となる位置に取り付け、スリッター（１３）が壁紙糊付機本体（１１）に装着されている場合にのみスリッター用ＩＤタグ（１０３）が検出されるようにしている。
スリッター用ＩＤタグ（１０３）が検出されていない状態で、第１上刃用ＩＤタグ（１０４）と第２上刃用ＩＤタグ（１０５）と第１下刃用ＩＤタグ（１０６）と第２下刃用ＩＤタグ（１０７）が検出されている場合は、スリッター（１３）が床に置かれているだけで壁紙糊付機本体（１１）に装着されていないと認識し、第１上刃用ＩＤタグ（１０４）と第２上刃用ＩＤタグ（１０５）と第１下刃用ＩＤタグ（１０６）と第２下刃用ＩＤタグ（１０７）には、項目「糊付長さ」の累積値Ｌは更新せず、項目「更新日時」等は更新するようにしている。
装備品照合処理の処理ＷＴＰ５では、スリッター用ＩＤタグ（１０３）のＩＤタグ情報レコードの項目「更新日時」が過去の日時であっても、第１上刃用ＩＤタグ（１０４）と第２上刃用ＩＤタグ（１０５）と第１下刃用ＩＤタグ（１０６）と第２下刃用ＩＤタグ（１０７）の項目「更新日時」が現在の日時であれば、スリッター（１３）は存在していると判定する。
【００７９】
本発明の自動壁紙糊付機（１０）は、壁紙糊付機本体（１１）に装着されるもの、あるいは、壁紙糊付機本体（１１）と連結されるもの、あるいは、内装施工で使用される道具類を装備品として登録して管理するものである。
【符号の説明】
【００８０】
１０    自動壁紙糊付機  
１１    壁紙糊付機本体
１２    脚
１３    スリッター
１４    制御装置
１５    送り出しローラー
１６    検尺ローラー
１７    ドクターローラー
１８    糊付けローラー
１９    押さえローラー
２０    ナラシローラー
２１    本体フレーム
２２    パチン錠
２３    車輪
２４    原反受け
２５    第１上刃  
２６    第２上刃  
２７    第１下刃
２８    第２下刃
２９    スリッターフック
３０    スリッターフレーム
３１    糊箱
３２    糊上げローラー
３３    原反芯棒
３４    第１サイド板
３５    第２サイド板
３６    第１テンションバー
３７    第２テンションバー
３８    上蓋
４０    演算部
４１    表示操作部
４２    計時部
４３    記憶手段
４４    検尺手段
４５    ＩＤタグ検出手段
１０１  壁紙糊付機本体用ＩＤタグ
１０２  脚用ＩＤタグ
１０３  スリッター用ＩＤタグ
１０４  第１上刃用ＩＤタグ
１０５  第２上刃用ＩＤタグ
１０６  第１下刃用ＩＤタグ
１０７  第２下刃用ＩＤタグ
１０８  制御装置用ＩＤタグ
１０９  検尺ローラー用ＩＤタグ
１１０  糊箱用ＩＤタグ
１１１  原反芯棒用ＩＤタグ
１１２  第１サイド板用ＩＤタグ
１１３  第２サイド板用ＩＤタグ
１１４  第１テンションバー用ＩＤタグ
１１５  第２テンションバー用ＩＤタグ
１１６  上蓋用ＩＤタグ
２００    自動壁紙糊付機  
２１１    壁紙糊付機本体
２１２    脚
２１３    スリッター
２１４    制御装置
２１５    送り出しローラー
２１６    検尺ローラー
２１７    ドクターローラー
２１８    糊付けローラー
２１９    押さえローラー
２２０    ナラシローラー
２２１    本体フレーム
２２２    パチン錠
２２３    車輪
２２４    原反受け
２２５    第１上刃  
２２６    第２上刃  
２２７    第１下刃
２２８    第２下刃
２２９    スリッターフック
２３０    スリッターフレーム
２３１    糊箱
２３２    糊上げローラー
２３３    原反芯棒
２３４    第１サイド板
２３５    第２サイド板
２３６    第１テンションバー
２３７    第２テンションバー
２３８    上蓋
【図１】
0006663141.tif 000002
【図２】
0006663141.tif 000003
【図３】
0006663141.tif 000004
【図４】
0006663141.tif 000005
【図５】
0006663141.tif 000006
【図６】
0006663141.tif 000007
【図７】
0006663141.tif 000008
【図８】
0006663141.tif 000009
【図９】
0006663141.tif 000010
【図１０】
0006663141.tif 000011
【図１１】
0006663141.tif 000012